(57)【要約】【課題】輝度ムラのない均一な照明を行うことができ、光の利用効率の高い光学シート、面光源装置、透過型表示装置を簡単な構成で提供する。【解決手段】出射側に単位レンズ１４１を有した光学シート１４において、単位レンズ１４１のレンズ面に対する接面と光学シート１４のシート面に対する法線とのなす角度である単位レンズ端部角度φを、９０°−２・ａｓｉｎ（１／ｎ）＜φ＜ａｃｏｓ（１／ｎ）の関係を満たすように設定する。なお、ｎは、単位レンズ１４１を形成する素材の屈折率である。【選択図】図４
2009042661.tif 000002
【特許請求の範囲】
【請求項１】
直下型の面光源装置に設けられ、光源から出射した光が入射する位置に配置され、前記光を前記光源とは反対側に出射する光学シートであって、
出射側に複数並べて形成された凸状の単位レンズを有し、
前記単位レンズを形成する素材の屈折率をｎとし、隣り合う前記単位レンズに挟まれた谷部における前記単位レンズのレンズ面に対する接面と該光学シートのシート面に対する法線とのなす角度である単位レンズ端部角度をφとしたときに、
９０°−２・ａｓｉｎ（１／ｎ）＜φ＜ａｃｏｓ（１／ｎ）
の関係を満たすこと、
を特徴とする光学シート。
【請求項２】
請求項１に記載の光学シートにおいて、
前記単位レンズは、長軸がシート面に対して直交して連続する楕円筒の一部、又は、長軸がシート面に対して直交する回転楕円体の一部であること、
を特徴とする光学シート。
【請求項３】
透過型表示部を背面から照明する面光源装置であって、
照明光を発光する光源部と、
請求項１又は請求項２に記載の光学シートと、
を備える面光源装置。
【請求項４】
請求項３に記載の面光源装置において、
前記光学シートが前記照明光の出射方向を制御する主な方向は、使用状態における前記透過型表示部の画面の上下方向であること、
を特徴とする面光源装置。
【請求項５】
請求項３又は請求項４に記載の面光源装置において、
前記光学シートが前記照明光の出射方向を制御する主な方向に対して略垂直な方向で主に光の出射方向を制御する第２の光学シートを有すること、
を特徴とする面光源装置。
【請求項６】
透過型表示部と、
請求項３から請求項５までのいずれか１項に記載の面光源装置と、
を備える透過型表示装置。
【発明の詳細な説明】
【技術分野】
【０００１】
本発明は、液晶表示装置等の照明に用いられる光学シート、面光源装置、及び、それらを用いた透過型表示装置に関するものである。
【背景技術】
【０００２】
透過型の液晶ディスプレイ等を背面から照明する面光源（バックライト）として各種方式の面光源装置が提案、実用化されている。面光源装置には、主として、面光源でない光源を面光源に変換する方式によりエッジライト型と直下型とがある。
例えば、直下型では、背面より並列の発光管を用いて光を導入するようになっており、発光管とＬＣＤパネル等との距離を適度に空け、その間に拡散板を用い、さらに、光を収束させるシートを複数組み合わせて使用していた。
このような従来の方式では、必要とする光学シートの枚数が多い割に収束特性が不十分であり、それを補う為にＬＣＤパネルを改良して、斜め方向からの入射光に対しても画質を落とさない構造としていた。
【０００３】
しかし、この方式では、光の利用効率が低下する上、ＬＣＤパネルの構成も複雑となり、コスト増の要因になるという問題があった。
特に、直下型では、発光管に近接した部分であるか否か（発光管に至近の位置であるか、並列に並んだ発光管の間隙部分に至近の位置であるか）によって光強度（輝度）にムラ（管ムラ）が発生しやすい。これを抑えるために発光管とＬＤＣとの間隔を大きく取ってしまうとディスプレイの厚さが厚くなってしまうという問題があった。また、ムラを抑えるために拡散を強くしたり、透過量を制限したりすると、光の使用量が低減してしまうという問題があった。
【０００４】
特許文献１には、出射側に凸状の単位レンズが形成された光収束シートにおいて、入射側にストライプ状に光反射材を形成するバックライトユニットが開示されている。
【特許文献１】特開２００６−２８４６９７号公報
【発明の開示】
【発明が解決しようとする課題】
【０００５】
しかし、特許文献１に記載の形態では、光収束シートの入射側に光反射材を形成する必要があるので、製造工程が複雑になるという問題があった。
また、照明光の一部は、反射材により一旦光源側に戻されるので、反射を繰り返すことにより光の利用効率が低くなるという問題があった。
【０００６】
本発明の課題は、輝度ムラのない均一な照明を行うことができ、光の利用効率の高い光学シート、面光源装置、透過型表示装置を簡単な構成で提供することである。
【課題を解決するための手段】
【０００７】
本発明は、以下のような解決手段により、前記課題を解決する。なお、理解を容易にするために、本発明の実施形態に対応する符号を付して説明するが、これに限定されるものではない。
請求項１の発明は、直下型の面光源装置に設けられ、光源から出射した光が入射する位置に配置され、前記光を前記光源とは反対側に出射する光学シートであって、出射側に複数並べて形成された凸状の単位レンズ（１４１，１４１−２）を有し、前記単位レンズを形成する素材の屈折率をｎとし、隣り合う前記単位レンズに挟まれた谷部（Ｖ）における前記単位レンズのレンズ面に対する接面と該光学シートのシート面に対する法線とのなす角度である単位レンズ端部角度をφとしたときに、９０°−２・ａｓｉｎ（１／ｎ）＜φ＜ａｃｏｓ（１／ｎ）の関係を満たすこと、を特徴とする光学シート（１４，１４−２）である。
請求項２の発明は、請求項１に記載の光学シートにおいて、前記単位レンズ（１４１，１４１−２）は、長軸がシート面に対して直交して連続する楕円筒の一部、又は、長軸がシート面に対して直交する回転楕円体の一部であること、を特徴とする光学シート（１４，１４−２）である。
請求項３の発明は、透過型表示部（１１）を背面から照明する面光源装置であって、照明光を発光する光源部（１２，１３）と、請求項１又は請求項２に記載の光学シート（１４，１４−２）と、を備える面光源装置（１２，１３，１４，１４−２）である。
請求項４の発明は、請求項３に記載の面光源装置において、前記光学シート（１４）が前記照明光の出射方向を制御する主な方向は、使用状態における前記透過型表示部（１１）の画面の上下方向であること、を特徴とする（１２，１３，１４）面光源装置である。
請求項５の発明は、請求項３又は請求項４に記載の面光源装置において、前記光学シート（１４）が前記照明光の出射方向を制御する主な方向に対して略垂直な方向で主に光の出射方向を制御する第２の光学シート（１４−２）を有すること、を特徴とする面光源装置（１２，１３，１４，１４−２）である。
請求項６の発明は、透過型表示部（１１）と、請求項３から請求項５までのいずれか１項に記載の面光源装置（１２，１３，１４，１４−２）と、を備える透過型表示装置（１０，１０−２）である。
【発明の効果】
【０００８】
本発明によれば、以下の効果を奏することができる。
（１）９０°−２・ａｓｉｎ（１／ｎ）＜φ＜ａｃｏｓ（１／ｎ）の関係を満たすので、輝度ムラのない均一な照明を行うことができ、また、光の利用効率を高くできる。さらに、単位レンズの形状を規定することにより上記効果を得られるので、構成を簡単にできる。
【０００９】
（２）単位レンズは、長軸がシート面に対して直交して連続する楕円筒の一部、又は、長軸がシート面に対して直交する回転楕円体の一部であるので、円筒面又は球面に比べて、収束の程度を任意に制御することができ、収束効果を高めることができる。
【００１０】
（３）光学シートが照明光の出射方向を制御する主な方向は、使用状態における透過型表示部の画面の上下方向であるので、垂直方向に広がる光を集めて正面輝度を高めることができる。なお、一般的な表示装置では、垂直視野角よりも水平視野角が広いことが望まれるので、そのような多くの表示装置に好適に用いることができる。
【００１１】
（４）光学シートが照明光の出射方向を制御する主な方向に対して略垂直な方向で主に光の出射方向を制御する第２の光学シートを有するので、垂直方向及び水平方向の両方向において光を独立して収束することができ、視野角を自由に設定することができる。
【発明を実施するための最良の形態】
【００１２】
輝度ムラのない均一な照明を行うことができ、光の利用効率の高い光学シート、面光源装置、透過型表示装置を、単位レンズの形状を規定することにより、簡単な構成で実現した。
【００１３】
（第１実施形態）
図１は、光学シート、面光源装置、透過型表示装置の第１実施形態を示す図である。
なお、図１を含め、以下に示す各図は、模式的に示した図であり、各部の大きさ、形状は、理解を容易にするために、適宜誇張して示している。
また、以下の説明では、具体的な数値、形状、材料等を示して説明を行うが、これらは、適宜変更することができる。
本実施形態における透過型表示装置１０は、ＬＣＤパネル１１，反射板１２，発光管１３，光学シート１４，拡散シート１５等を備え、ＬＣＤパネル１１に形成される映像情報を背面から照明して表示する透過型液晶表示装置である。なお、ＬＣＤパネル１１を背面から照明するバックライトとなる面光源装置としては、反射板１２，発光管１３，光学シート１４，拡散シート１５が該当している。
【００１４】
ＬＣＤパネル１１は、透過型の液晶表示素子により形成された透過型表示部であって、対角３２インチ（７４０ｍｍ×４２０ｍｍ）で、解像度１２８０×７６８の表示を行うことができる。ＬＣＤパネル１１は、発光管１３の長手方向に沿った方向を水平方向、発光管１３が並ぶ方向を垂直方向となるようにして、画面が横長になるように配置される。
発光管１３は、面光源装置の光源部を形成する線状の発光部（直線発光管部）を有した冷陰極管であり、本実施形態では、略２０ｍｍ間隔で等間隔に１８本が並列に並べられている。なお、図１では、発光管１３は、６本のみ示している。発光管１３の背面には、反射板１２が設けられており、その設計により画面各部位への入射光照度を均一に近づけるようにしている。
また、発光管１３とＬＣＤパネル１１との間には、発光管１３側から順に光学シート１４及び拡散シート１５が、そのシート面がＬＣＤパネル１１と略平行となるように配置されている。
ここで、シート面とは、シート全体として見たときにおけるシートの平面方向として定義される面であり、本明細書中において同一の定義として使用している。本実施形態におけるシート面は、光学シート１４及び拡散シート１５の入射側の面と平行な面である。また、単に入射角度、出射角度と記載した場合には、シート面に対する法線からの角度（すなわち、光学シート１４全体としてみたときの出射角度であって、単位レンズ１４１の表面形状の界面での出射角度ではない角度）を意味するものとする。
【００１５】
図２は、光学シート１４を示す斜視図である。
光学シート１４は、発光管１３から出射した光を必要な出射角度範囲内において拡散出射させることにより、適度に光を収束し、その収束した範囲内においては、輝度ムラ（画面を観察する位置により輝度が変わる現象と、発光管に近い位置であるか否かにより輝度が変わる現象（管ムラ）とを併せて、ここでは、輝度ムラと呼ぶ）を低減させるシートである。
光学シート１４には、出射側に凸形状となっている単位レンズ１４１が多数並べられて出射側レンズ部を形成している。
本実施形態における光学シート１４に形成された出射側レンズ部は、連続する楕円筒の一部を単位レンズ１４１として平行に多数並べて配置したレンチキュラーレンズである。出射側レンズ部において単位レンズ１４１の並ぶ方向は、発光管１３の並ぶ方向と一致している（図１参照）。
【００１６】
図３は、光学シート１４を図２中に矢印で示したＳ１−Ｓ２断面で切断した断面図である。
単位レンズ１４１は、図３に示した断面において、長半径Ａ＝０．１ｍｍ、短半径Ｂ＝０．０６ｍｍの楕円となっており、その長軸が光学シート１４のシート面に対して直交し、ピッチＰ＝０．１ｍｍとなるように配置されている。また、単位レンズ１４１のレンズ面に対する接面と光学シート１４のシート面に対する法線とのなす角度である単位レンズ端部角度φは、２５°となっている。さらに、光学シート１４の厚さｔ＝０．７ｍｍである。光学シート１４は、屈折率１．５３の透明なＭＳ（メタクリルスチレン：アクリル樹脂とスチレン樹脂との共重合体）材により形成されている。光学シート１４の形状の詳細については、後述する。
【００１７】
図１に戻って、拡散シート１５は、ＬＣＤパネル１１と光学シート１４との間に配置され、出射側に微細凸形状が形成された光拡散作用を有したシートである。
拡散シートとして使用されるものには、透明基材フィルムの表面に拡散材をコーティングしたタイプ、拡散材を基材に練り込んだタイプ、表面を粗面にしたタイプ、及びこれらの組み合わせが存在する。
本実施形態の拡散シート１５は、これらの内で、透明基材フィルムの表面に拡散材をコーティングしたタイプである。具体的には、ＰＥＴ（PolyEthylene  Terephthalate）樹脂製の厚さ１８８μｍの透明基材層（フィルム）上に、バインダ中に微小ビーズを混練した拡散層をコートして形成している。この拡散層は、微小ビーズをバインダよりも突出させることにより、表面に微細凸形状が形成されている。本実施形態で使用した拡散シート１５は、恵和（株）製の光拡散フィルムＰＢＳ−０７２であり、ヘイズ値は、４７．９％（メーカーカタログ値）である。
なお、拡散シートは、ヘイズ値が３５％以上、６５％以下であることが、正面輝度を低下することなくモアレ縞の防止をするために望ましい。
【００１８】
表面に拡散材（微小ビーズ）をコーティングした拡散シートは、微小ビーズのトップの丸い部分が突出するため、レンズ効果を発揮する。そのため、視野角の広い拡散光が入射した場合には、集光効果を発揮し、視野角の狭い拡散光が入射した場合には、拡散効果を発揮するという、他のタイプの拡散シートとは異なる特徴的な作用を持っている。
また、拡散材を分散させてコーティングしているので、周期構造を持たず、モアレが発生することもない。
さらに、表面にコーティングする拡散材の量を変えることにより、レンズ効果（集光及び拡散効果）を調整することが可能となる。拡散材の量が少ないと拡散材の密度が小さいため、レンズ効果よりも粗面による散乱効果が大きくなり、視野角の広い拡散光に対する集光効果が小さくなる。
なお、練り込みタイプや表面が粗面タイプの拡散シートは、レンズ効果ではなく、散乱効果や屈折効果により、拡散効果のみを発揮する点で、本実施形態の拡散シート１５とは異なるが、このようなタイプの拡散シートを用いてもよい。
【００１９】
ここで、光学シート１４の単位レンズ１４１の形状についてより詳しく説明する。
図４は、光学シートの単位レンズの形状と照明光の進み方との関係を説明する図である。図４（ａ）は、単位レンズ１４１の突出部分の曲率が大きいことにより単位レンズ端部角度φが大きい場合を示し、図４（ｃ）は、単位レンズ１４１の突出部分の曲率が小さいことにより単位レンズ端部角度φが小さい場合を示し、図４（ｂ）は、単位レンズ１４１の突出部分の曲率が図４（ａ）の場合と図４（ｃ）の場合との中間であって、単位レンズ端部角度φが図４（ａ）の場合と図４（ｃ）の場合との中間である場合を示している。
単位レンズ１４１は、出射側に突出した形状となっているので、単位レンズ１４１同士が互いに隣接する谷部Ｖ付近では、照明光が到達する角度によっては照明光が全反射をすることとなる。そうすると、本来意図しているレンズとしての作用と異なる作用が生じ、照明光を不要な方向へ出射してしまう原因となり得る。そこで、輝度ムラを低減し、光の利用効率を高めるために必要な谷部Ｖ付近の形状を以下のようにして導いた。
【００２０】
単位レンズ１４１の谷部Ｖの形状を代表する値として、本実施形態では、単位レンズ１４１のレンズ面に対する接面（図４の断面では接線Ｔ）と光学シート１４のシート面に対する法線Ｈ１４とのなす角度である単位レンズ端部角度φに着目した。
まず、単位レンズ端部角度φの上限について検討する。光学シート１４に入射する光のうちで、谷部Ｖ付近で最も全反射しやすい光は、光学シート１４に対してそのシート面に直角に入射する光（例えば、図４（ａ）の光線ＬＡ１、図４（ｂ）の光線ＬＢ１）である。このような光については、谷部Ｖ付近で全反射したとしても、光学シート１４から出射するときにあまり大きな出射角度で出射しない（例えば、図４（ｂ）の光線ＬＢ１は、光線ＬＢ２となって出射する）。また、ここまで単位レンズ端部角度φを大きくしてしまうと、単位レンズ１４１のレンズ作用自体が小さくなり、照明光の収束効果が低減する。よって、単位レンズ端部角度φは、光学シート１４に対してそのシート面に直角に入射する光が全反射せずに出射するようになる角度を限界値とし、それよりも小さいことが望ましい。
【００２１】
次に、単位レンズ端部角度φの下限について検討する。光学シート１４に入射する光のうちで、谷部Ｖ付近で最も全反射しにくい光は、光学シート１４に対して入射できる限界の入射角度で入射する光（例えば、図４（ｃ）の光線ＬＣ１）である。このような光が谷部Ｖ付近で全反射するとすれば、谷部Ｖ付近では入射する照明光の全てが全反射することとなり、必要な範囲に進む照明光が減少してしまう。よって、単位レンズ端部角度φは、光学シート１４に対して入射できる限界の入射角度で入射する光が全反射するようになる角度を限界値とし、それよりも大きいことが望ましい。
【００２２】
図５は、単位レンズ端部角度φの上限値及び下限値の求め方を説明する図である。
まず、単位レンズ端部角度φの上限値を求める。図５（ａ）に示すように、光学シート１４に対してそのシート面に直角に入射する光線ＬＡ１が入射したとき、谷部Ｖにおける全反射境界条件から、以下の関係を導くことができる。ここで、ｎは、光学シート１４を形成する素材の屈折率である。
ｎ・ｓｉｎ（９０°−φ）＝ｓｉｎ９０°
ｎ・ｓｉｎ９０°・ｃｏｓφ−ｃｏｓ９０°・ｓｉｎφ＝１
ｎ・ｃｏｓφ＝１
ｃｏｓφ＝１／ｎ
φ＝ａｃｏｓ（１／ｎ）
このφが上限値となる。よって、以下の関係式を満たすことが望ましい。
ａｃｏｓ（１／ｎ）＞φ・・・式（１）
【００２３】
次に、単位レンズ端部角度φの下限値を求める。図５（ｂ）に示すように、光学シート１４に対して入射できる限界の入射角度で入射する光線ＬＣ１が入射するとき、入射面では、以下の関係が成立する。ここで、αは、光学シート１４の入射面における屈折角であるとともに、光学シート側から見たときには、光が出射するときの全反射条件の臨界角と等しい。
ｎ・ｓｉｎα＝ｓｉｎ９０°
ｓｉｎα＝１／ｎ
α＝ａｓｉｎ（１／ｎ）
【００２４】
ここで、限界値として光が出射するか全反射するか、すなわち、光線ＬＣ３が入射したとき、谷部Ｖにおける全反射境界条件とする。
まず、上記屈折角αで入射した光が、谷部Ｖに到達したとき、谷部Ｖのレンズ面に対する法線Ｈ１４１と谷部Ｖに到達した光線とのなす角（谷部Ｖに対する入射角）をβとすると、以下の関係を導くことができる。
９０°＝β＋φ＋α
このβが臨界角となるか否かによって、谷部Ｖから光が出射するか全反射するかが決まる。ここで、先に示したように、αが臨界角となっているので、上記式は、以下のように置き換えることができる。
９０°＝α＋φ＋α
φ＝９０°−２α
φ＝９０°−２・ａｓｉｎ（１／ｎ）
このφを下限値とすればよいので、φは、以下の式を満足するとよい。
９０°−２・ａｓｉｎ（１／ｎ）＜φ・・・式（２）
【００２５】
上記式（１）及び式（２）から、単位レンズ端部角度φは、以下の範囲とすることが望ましい。
９０°−２・ａｓｉｎ（１／ｎ）＜φ＜ａｃｏｓ（１／ｎ）・・・式（３）
単位レンズ端部角度φをこの範囲とすることにより、図４（ｂ）に示すように、光学シート１４に対してそのシート面に直角に入射する光線ＬＢ１が谷部Ｖに到達すると、全反射して光線ＬＢ２のように出射する。この光線ＬＢ２は、入射時よりも大きな出射角度方向に出射するが、このような光は、発光管１３に直近の部分における照明光であるから、適度に拡散される方が、管ムラを防止するために望ましい。また、光学シート１４に対して大きな入射角度で入射する光線ＬＢ３のような光は、谷部Ｖにおいて全反射することなく、正面方向（出射角度０°に近い方向）に出射するので、正面輝度が向上する。
【００２６】
本実施形態では、ｎ＝１．５３であるから、上記式（３）より、単位レンズ端部角度φは、以下の範囲とすることが望ましい。
８．４°＜φ＜４９．２°
本実施形態の単位レンズ１４１の単位レンズ端部角度φは、先に示したように２５°であり、上記式（３）を満たしている。
【００２７】
本実施形態の光学シート１４を単独で、反射板１２と発光管１３とに重ねて配置したところ、垂直方向において、光学シート１４から出射される照明光の半値角（ピーク輝度を基準として、輝度がピーク輝度の半分の値となる出射角度（シート面に対する法線からの角度））が約４０°となった。また、斜め方向に大きな出射角度で出射する照明光によって、当該斜め方向の輝度上昇が発生しているが、拡散シート１５を重ねて使用することにより、この大きな出射角度での輝度上昇も解消された。
【００２８】
上記実施形態と比較するために、単位レンズの形状が異なる２つの比較例を用意して、比較を行った。
（比較例１）
比較例１として、図３に示す単位レンズの断面形状が、長半径Ａ＝０．０７ｍｍ、短半径Ｂ＝０．０７ｍｍの楕円、すなわち、実際には円であり、ピッチＰ＝０．１ｍｍとなる他は、本実施形態の光学シート１４と同様な形態の光学シートを用意した。この場合、単位レンズ端部角度φは、５５°であり、上記式（３）の上限を超えている。
この比較例１の光学シートを単独で、反射板１２と発光管１３とに重ねて配置したところ、半値角が約６０°となり、十分な収束効果を得ることができなかった。
【００２９】
（比較例２）
比較例２として、図３に示す単位レンズの断面形状が、長半径Ａ＝０．１ｍｍ、短半径Ｂ＝０．０５１ｍｍの楕円であり、ピッチＰ＝０．１ｍｍとなる他は、本実施形態の光学シート１４と同様な形態の光学シートを用意した。この場合、単位レンズ端部角度φは、６°であり、上記式（３）の下限を超えている。
この比較例２の光学シートを単独で、反射板１２と発光管１３とに重ねて配置したところ、出射角度５０°以上の方向に出射する成分が多くなり、その方向の輝度上昇が大きくなった。また、これに拡散シート１５を重ねても、上記輝度上昇を抑制しきれず、正面輝度も上記実施形態に対して略９０％に低下した。
【００３０】
本実施形態によれば、大きな出射角度で出射する光を減らすことができるので、輝度ムラのない均一な照明を行うことができる。
また、大きな出射角度で出射する光を減らすことにより、その光が必要な範囲に出射することとなる。よって、光の利用効率を高くできる。
【００３１】
（第２実施形態）
図６は、光学シート、面光源装置、透過型表示装置の第２実施形態を示す図である。
第２実施形態の透過型表示装置１０−２は、第１実施形態の光学シート１４を複数枚使用した他は、第１実施形態と同一である。よって、前述した第１実施形態と同様の機能を果たす部分には、同一の符号を付して、重複する説明を適宜省略する。
透過型表示装置１０−２では、光学シート１４と拡散シート１５との間に、第２の光学シート１４−２を配置している。
第２の光学シート１４−２は、光学シート１４と同一形状の単位レンズ１４１−２を出射側に有している。ただし、第２の光学シート１４−２は、単位レンズ１４１−２の配列方向が光学シート１４の単位レンズ１４１の配列方向と直角な方向となるように配置されている。したがって、第２の光学シート１４−２は、光学シート１４が光を主に収束する方向（垂直方向）と直交する方向（水平方向）で光を収束するようになっている。
本実施形態では、第２の光学シート１４−２を配置したので、垂直方向及び水平方向のいずれの方向についても、光の出射範囲を制御することができ、第１実施形態と比べてさらに正面輝度を高めることができる。
【００３２】
（変形形態）
以上説明した実施形態に限定されることなく、種々の変形や変更が可能であって、それらも本発明の範囲内である。
（１）各実施形態において、光学シート１４、及び、第２の光学シート１４−２は、１種類の単位レンズが出射側に並べられている例を示したが、これに限らず、例えば、複数種類の単位レンズを組み合わせて出射側に配置してもよい。
【００３３】
（２）各実施形態において、光源として線光源が並べられている例を示したが、これに限らず、例えば、ＬＥＤ等の点光源を多数並べた形態であってもよいし、有機ＥＬ（electroluminescence）、無機ＥＬ等の面発光をする発光部であってもよい。
【００３４】
（３）各実施形態において、拡散シート１５を設けた例を示したが、これに限らず、不要な輝度ピークが目立たなければ、拡散シート１５を省略してもよい。
【００３５】
（４）各実施形態において、単位レンズ１４１，１４１−２は、長軸がシート面に対して直交して連続する楕円筒の一部である例を示したが、これに限らず、例えば、長軸がシート面に対して直交する回転楕円体の一部として、いわゆるハエの目レンズを形成する光学シートとしてもよいし、単位レンズの断面が楕円の形態に限らず、円筒面や球面等であってもよい。
【図面の簡単な説明】
【００３６】
【図１】光学シート、面光源装置、透過型表示装置の第１実施形態を示す図である。
【図２】光学シート１４を示す斜視図である。
【図３】光学シート１４を図２中に矢印で示したＳ１−Ｓ２断面で切断した断面図である。
【図４】光学シートの単位レンズの形状と照明光の進み方との関係を説明する図である。
【図５】単位レンズ端部角度φの上限値及び下限値の求め方を説明する図である。
【図６】光学シート、面光源装置、透過型表示装置の第２実施形態を示す図である。
【符号の説明】
【００３７】
１０，１０−２  透過型表示装置
１１  ＬＣＤパネル
１２  反射板
１３  発光管
１４  光学シート
１４−２  第２の光学シート
１５  拡散シート
【図１】
2009042661.tif 000003
【図２】
2009042661.tif 000004
【図３】
2009042661.tif 000005
【図４】
2009042661.tif 000006
【図５】
2009042661.tif 000007
【図６】
2009042661.tif 000008